(57)【要約】  【課題】脱いだ上着類を肩から下げたハンガーに掛けることにより、腕の自由が奪われることなく、快適に歩行することができるショルダー式ハンガーを提供する。  【解決手段】棒部材２と、棒部材２に取り付けられることにより、該棒部材と対向する押さえ部３ａ及び肩掛け部３ｂがそれぞれ形成される無端状肩掛け部材３とを備え、肩掛け部３ｂ側の引っ張りによって、押さえ部３ａが棒部材２側に接近できるようになっている。押さえ部３ａと棒部材２との間に脱いだ上着類を挟み込むようにして掛けると、肩掛け部材３には上着類の自重による引張力が作用し、押さえ部３ａが棒部材２側に接近するので、上着類は保持される。  【選択図】  図１
2005205148.tif 000002
【特許請求の範囲】
【請求項１】
棒部材と、
この棒部材に取り付けられることにより、該棒部材と対向する押さえ部及び肩掛け部がそれぞれ形成される無端状肩掛け部材とを備え、
前記肩掛け部側の引っ張りによって、前記押さえ部が前記棒部材側に接近できるようになっていることを特徴とするショルダー式ハンガー。
【請求項２】
前記棒部材の両端部に設けられた通し孔に、前記無端状肩掛け部材が通されることにより、前記押さえ部及び前記肩掛け部がそれぞれ形成されることを特徴とする請求項１記載のショルダー式ハンガー。
【請求項３】
前記通し孔は、前記棒部材を半径方向に貫通して形成された貫通孔からなることを特徴とする請求項２記載のショルダー式ハンガー。
【請求項４】
前記棒部材の両端部に該棒部材と交差するように所定長さを持つガイド部材が設けられ、前記通し孔はこのガイド部材に形成されていることを特徴とする請求項２記載のショルダー式ハンガー。
【請求項５】
前記通し孔は、前記棒部材の周面に両端部が取り付けられた略逆Ｕ字形の支持部材によって形成されていることを特徴とする請求項２記載のショルダー式ハンガー。
【請求項６】
前記棒部材は中空のものからなり、前記無端状肩掛け部材は一部に屈曲部を有し、その屈曲部が前記棒部材の内部にその一端側から通され、該棒部材の他端側から突出する前記屈曲部に前記無端状肩掛け部材が通されることにより、前記押さえ部及び前記肩掛け部が形成されることを特徴とする請求項１記載のショルダー式ハンガー。
【請求項７】
前記棒部材は中空のものからなり、前記無端状肩掛け部材は交差部を持つ８の字状にされ、前記交差部が前記棒部材の内部に配置されることにより、前記押さえ部及び前記肩掛け部が形成されることを特徴とする請求項１記載のショルダー式ハンガー。
【請求項８】
前記棒部材は、その軸方向に伸縮自在であることを特徴とする請求項１〜７のいずれか１記載のショルダー式ハンガー。
【発明の詳細な説明】
【技術分野】
【０００１】
この発明は、ショルダー式ハンガーに関し、さらに詳細には、外出時に上着などの衣類を掛け、肩から吊り下げた状態で携帯するためのショルダー式ハンガーに関する。
【背景技術】
【０００２】
一年中スーツを着用しているビジネスマンにとって夏は厳しい季節であり、外出時には上着を脱いで歩行することが多い。この場合、上着は折り曲げた腕に掛けて歩くようにするのが一般的である。しかし、このような歩行は片腕の自由を奪われ、何かと不便である。また、腕にかいた汗によって上着が密着し、不愉快でもある。
【０００３】
なお、この発明と同様の目的を達成しようとするものが記載された文献として、特許文献１を挙げることができる。
【特許文献１】特開平１１−３４２０６２号公報
【発明の開示】
【発明が解決しようとする課題】
【０００４】
この発明は上記のような技術的背景に基づいてなされたものであって、次の目的を達成するものである。
この発明の目的は、脱いだ上着類を肩から下げたハンガーに掛けることにより、腕の自由が奪われることなく、快適に歩行することができるショルダー式ハンガーを提供することにある。
【課題を解決するための手段】
【０００５】
この発明は上記課題を達成するために、次のような手段を採用している。
すなわち、この発明は、棒部材と、
この棒部材に取り付けられることにより、該棒部材と対向する押さえ部及び肩掛け部がそれぞれ形成される無端状肩掛け部材とを備え、
前記肩掛け部側の引っ張りによって、前記押さえ部が前記棒部材側に接近できるようになっていることを特徴とするショルダー式ハンガーにある。
【０００６】
前記棒部材の両端部に設けられた通し孔に、前記無端状肩掛け部材が通されることにより、前記押さえ部及び前記肩掛け部がそれぞれ形成される態様を採ることができる。この場合、前記通し孔は、前記棒部材を半径方向に貫通して形成された貫通孔で構成することができる。また、前記棒部材の両端部に該棒部材と交差するように所定長さを持つガイド部材を設け、前記通し孔はこのガイド部材に形成することができる。あるいは、前記通し孔は、前記棒部材の周面に両端部が取り付けられた略逆Ｕ字形の支持部材によって形成することができる。
【０００７】
前記棒部材は中空のものからなり、前記無端状肩掛け部材は一部に屈曲部を有し、その屈曲部が前記棒部材の内部にその一端側から通され、該棒部材の他端側から突出する前記屈曲部に前記無端状肩掛け部材が通されることにより、前記押さえ部及び前記肩掛け部が形成される態様を採ることもできる。
【０００８】
前記棒部材は中空のものからなり、前記無端状肩掛け部材は交差部を持つ８の字状にされ、前記交差部が前記棒部材の内部に配置されることにより、前記押さえ部及び前記肩掛け部が形成される態様を採ることもできる。
【０００９】
前記棒部材は、その軸方向に伸縮自在とすることにより、収納時にコンパクトなものとすることができる。
【発明の効果】
【００１０】
この発明によれば、無端状肩掛け部材の肩掛け部側を肩に掛ける一方、押さえ部と棒部材との間に脱いだ上着類を挟み込むようにして掛ける。この状態で、無端状肩掛け部材には上着類の自重による引張力が作用し、押さえ部が棒部材側に接近するので、上着類は保持される。これにより、上着類を携帯していても、腕の自由が奪われることなく、また快適に歩行することができる。
【発明を実施するための最良の形態】
【００１１】
図１は、この発明の実施形態を示す斜視図である。ショルダー式ハンガー１は、棒部材２と無端状肩掛け部材３とで構成される。棒部材２の両端部には半径方向に貫通する通し孔４がそれぞれ形成されている。この棒部材２はプラスチック材料や、木、あるいはアルミニウムなどの軽量な金属材料で作られている。内部は中実でもよいが、軽量化するためには中空とされる。肩掛け部材３は可撓性を有する材料、例えばプラスチック材料や、革、布などで作られている。
【００１２】
無端状肩掛け部材３は棒部材２の各通し孔４に通される。肩掛け部材３が通し孔４に通されることにより、棒部材２の下方に該棒部材と対向する押さえ部３ａが形成され、また棒部材２の上方に肩掛け部３ｂが形成される。符号５は肩掛け部材３の長さ調整部を示し、また符号６は滑り止めを兼ねた肩当てパッドを示している。
【００１３】
図２は上記ショルダー式ハンガー１に上着類を掛けた状態を示す図であり、図３は使用者がショルダー式ハンガーを肩に掛けて歩行している状態を示す図である。外出時に脱いだ上着類Ｗは、図２に示すように、その一部を棒部材２と押さえ部３ａとの間に挟み込んだ状態で残りの部分が棒部材２の上に掛けられる。
【００１４】
この結果、無端状肩掛け部材３には上着類Ｗの自重による引張り力が働き、押さえ部３ａが棒部材２側に接近する（肩掛け部３ｂ側を棒部材２に対し積極的に引張るようにしてもよい）。これにより、棒部材２と押さえ部３ａとの間に挟まれた上着類Ｗは両者間から抜けにくくなり、上着類Ｗは確実にハンガー１に保持される。それゆえ、図３に示すように、脱いだ上着類Ｗを携帯していても腕の自由が奪われることがなく、軽快に歩行することができる。
【００１５】
図４は別の実施形態を示し、（ａ）は棒部材の軸方向に関して半断面とした正面図、（ｂ）は側面図である。この実施形態は図１に示した実施形態に改良を加えたものである。棒部材２の両端部には棒部材２とほぼ直交するようにガイド部材１１，１１が設けられている。ガイド部材１１は断面矩形の部材であり、内側面に棒部材２の端部に嵌合する円柱状の嵌合部１２が設けられている。ガイド部材１１は嵌合部１２を棒部材２の端部に嵌合させ、その端部内周に接着することにより棒部材２に固定されている。
【００１６】
ガイド部材１１は所定の長さを有し、その長さ方向に貫通する通し孔４が形成されている。無端状肩掛け部材３は、この通し孔４に通されることにより、上記実施形態と同様に押さえ部３ａと肩掛け部３ｂとが形成される。図１に示した実施形態のものは、上着類Ｗを棒部材２に掛けたとき、その状態によっては棒部材２が回転して上着類Ｗがずり落ちることがある。
【００１７】
これに対して、この実施形態のものはガイド部材１１によって、その長さぶん無端状肩掛け部材３が拘束され（可撓性を失う）、これに伴って棒部材２も拘束されるので棒部材２が回転するのを抑止することができ、上着類Ｗがずり落ちるのを防止できる。通し孔４は貫通孔とするに限らず、ガイド部材１１の外側面に無端状肩掛け部材３を保持するように設けた溝孔であってもよい。なお、棒部材２の中間部及び両端部には、上着類の滑りを防止するためのゴム管１３が被覆されている。
【００１８】
図５は別の実施形態を示す斜視図である。ハンガー１が棒部材２と無端状肩掛け部材３とで構成される点は、上記実施形態と同様である。この実施形態では、棒部材２の両端部周面に略逆Ｕ字形の支持部材７の両端部が取り付けられている。これらの支持部材７が無端状肩掛け部材３の通し孔を形成している。支持部材７による通し孔に肩掛け部材３が通されることにより、棒部材２の上方に押さえ部３ａと肩掛け部３ｂとの双方が形成される。支持部材７は金属材料あるいは比較的強度が高いプラスチック材料で作られる。
【００１９】
この実施形態の場合、図６に示すように、上着類Ｗは押さえ部３ａと棒部材２との間に挟み込まれる。肩掛け部材３には上着類Ｗの自重により引張り力が作用しているので、上着類Ｗは押さえ部３ａによって棒部材２に向けて押さえ込まれ、ハンガー１に確実に保持される。
【００２０】
図７は、さらに別の実施形態を示す斜視図である。ハンガー１が棒部材２と無端状肩掛け部材３とで構成される点は、上記各実施形態と同様である。この実施形態では棒部材２が中空のもの（パイプ）からなっている。無端状肩掛け部材３は一部に屈曲部８を有し、この屈曲部８は棒部材２の内部に一端側から通されている。屈曲部８は棒部材２の他端側から突出し、この突出した屈曲部８に無端状肩掛け部材３が通されている。これにより、棒部材２の下方側に押さえ部３ａが形成され、上方側に肩掛け部３ｂが形成されている。この実施形態の場合も、図８に示すように、上着類Ｗは押さえ部３ａと棒部材２との間に挟み込まれ、ハンガー１に確実に保持される。
【００２１】
図９は、さらに別の実施形態を示す斜視図である。この実施形態も図７に示した実施形態と同様に、棒部材２が中空のもの（パイプ）からなっている。無端状肩掛け部材３は、交差部１０を持つ８の字状にされている。この交差部１０が棒部材２の内部に配置されることにより、棒部材２の下方側に押さえ部３ａが形成され、上方側に肩掛け部３ｂが形成されている。上着類は押さえ部３ａと棒部材２との間に挟み込まれ、ハンガー１に確実に保持される。なお、長さ調整部５はロック機構付きのものとしてもよく、また滑り止めの肩当てパッド６はゴムチューブ製の簡易なものとしてもよい。
【００２２】
図７及び図９に示された各実施形態は、図１，図４及び図５に示された実施形態と比較して次のような利点を有する。
【００２３】
(1) 棒部材２に孔を開けないで済むので、小径のパイプが使える。
(2) 棒部材２の両端が隠れるため、上着類Ｗを掛けても不自然さがない。
(3) 棒部材２が短く、小径であるためスマートである。
(4) 肩掛け部３ｂを引っ張ることにより、上着類を押さえている押さえ部３ａが緩まなくなる。
(5) 棒部材２に塗装をしたり、色紙を巻くことにより、肩掛け部材３にマッチしたデザインとすることができ、おしゃれなハンガーとすることができる。
【００２４】
上記各実施形態として示したショルダー式ハンガー１は、いずれも、不使用時には無端状肩掛け部材３を棒部材２に巻き付ける等して、バッグなどに収納される。したがって、不使用時には可能な限りコンパクトになることが好ましい。
【００２５】
図１０は、さらに別の実施形態を示し、この実施形態は棒部材２を２つの棒部分２ａ，２ｂで構成し、一方の棒部分２ａに他方の棒部分２ｂが出入り自在としたものである。これにより、棒部材２はその軸方向に伸縮自在となり、収納時には短縮させることによりコンパクトなものとすることができる。
【００２６】
なお、この実施形態は図１に示した実施形態において棒部材２を伸縮自在なものに代えたものであるが、図４，図５，図７及び図９に示した各実施形態においてもその棒部材２を伸縮自在なものとすることができることはいうまでもない。
【００２７】
上記実施形態は例示にすぎず、この発明は種々の態様を採ることができる。例えば、上記実施形態では無端状肩掛け部材としてベルトが示されているが、紐を使用することもできる。
【図面の簡単な説明】
【００２８】
【図１】この発明の実施形態を示す斜視図である。
【図２】同実施形態のハンガーに上着類を掛けた状態を示す図である。
【図３】使用者が肩掛け部材を肩に掛けて歩行している状態を示す図である。
【図４】別の実施形態を示し、（ａ）は正面図、（ｂ）は側面図である。
【図５】別の実施形態を示す斜視図である。
【図６】同実施形態のハンガーに上着類を掛けた状態を示す図である。
【図７】さらに別の実施形態を示す斜視図である。
【図８】同実施形態のハンガーに上着類を掛けた状態を示す図である。
【図９】さらに別の実施形態を示す斜視図である。
【図１０】さらに別の実施形態を示す斜視図である。
【符号の説明】
【００２９】
１      ショルダー式ハンガー
２      棒部材
３      無端状肩掛けベルト
３ａ    押さえ部
３ｂ    肩掛け部
４      通し孔
７      支持部材
８      屈曲部
１０    交差部
１１    ガイド部材
Ｗ      上着類
【図１】
2005205148.tif 000003
【図２】
2005205148.tif 000004
【図３】
2005205148.tif 000005
【図４】
2005205148.tif 000006
【図５】
2005205148.tif 000007
【図６】
2005205148.tif 000008
【図７】
2005205148.tif 000009
【図８】
2005205148.tif 000010
【図９】
2005205148.tif 000011
【図１０】
2005205148.tif 000012